(57)【特許請求の範囲】
【請求項１】
画像を表示する表示部と、
前記表示部に表示される表示画像を制御する制御部と、
前記表示画像を画像データとして外部表示装置に送信するデータ送信部と、を備え、
前記制御部は、パスワードの入力を要求するパスワード要求状態のとき、前記表示部に、パスワード入力画像を覆うように、ユーザにより操作可能な仮想入力デバイスを表示するよう前記表示部を制御する
ことを特徴とする情報処理装置。
【請求項２】
前記制御部は、前記パスワード要求状態のとき、前記仮想入力デバイスに対する操作に応答して該操作の内容を特定不能な態様で前記表示画像を変化させる
ことを特徴とする請求項１に記載の情報処理装置。
【請求項３】
前記制御部は、前記パスワード要求状態のとき、前記仮想入力デバイスに対する操作に応答して、前記表示画像を明るくする、振動部を振動させる、または音声出力部から音声を出力する処理のいずれかを実行する
ことを特徴とする請求項１に記載の情報処理装置。
【請求項４】
音声を出力する音声出力部をさらに備え、
前記データ送信部はさらに、前記画像データに同期した音声を音声データとして前記外部表示装置に送信し、
前記制御部は、前記パスワード要求状態のとき、前記仮想入力デバイスに対する操作に応答して該操作に関連付けられた音声を前記音声出力部から出力し、かつ前記外部表示装置に対する音声データの送信を停止する
ことを特徴とする請求項１に記載の情報処理装置。
【請求項５】
２以上のチャネルで音声を出力する音声出力部をさらに備え、
前記データ送信部はさらに、前記画像データに同期した音声を音声データとして外部表示装置に送信し、
前記制御部は、前記パスワード要求状態のとき、前記仮想入力デバイスに対する操作に応答して該操作に関連付けられた音声を前記チャネルの一部に含む音声を前記音声出力部から出力する
ことを特徴とする請求項１に記載の情報処理装置。
【発明の詳細な説明】
【技術分野】
【０００１】
本発明の一態様は、表示部を備える携帯端末などの情報処理装置などに関する。
【背景技術】
【０００２】
近年、スマートフォンなどの表示部に表示された画像と同じ画像を、画像データ送信先の表示装置で表示する技術がある。このような技術では、例えば、スマートフォンに表示された画像を多人数で同時に楽しむことができる。ただし、この技術では、スマートフォンの表示部にパスワードなどの機密情報が表示されたときも同じ画像が継続的に表示装置に表示されるため、他人にパスワードの入力画像などを見られてしまうことがある。このような状態に対応するため、例えば、特許文献１には、パスワード入力のためのソフトウェアキーボードのキー配置や形を毎回異なるものにする技術が開示されている。また、特許文献２には、パスワード入力時にソフトウェアキーボードのキー配置を連続的に変化させる技術が開示されている。
【先行技術文献】
【特許文献】
【０００３】
【特許文献１】特開２００４−１２６９７３号公報
【特許文献２】特開２００７−１０２４４８号公報
【発明の概要】
【発明が解決しようとする課題】
【０００４】
しかしながら、上記特許文献１及び特許文献２などの従来の技術では、パスワードを他人に分かりづらくすることはできるものの、キーボードのキー配置が変化するため、操作性が悪くなることがあった。
【課題を解決するための手段】
【０００５】
本発明は、上記課題を解決するために次のような手段を採る。なお、以下の説明において、発明の理解を容易にするために図面中の符号等を括弧書きで付記するが、本発明の各構成要素はこれらの付記したものに限定されるものではなく、当業者が技術的に理解しうる範囲にまで広く解釈されるべきものである。
【０００６】
本発明の手段１は、
画像を表示する表示部（１２０）と、
前記表示部に表示される表示画像を制御する制御部（１００）と、
前記表示画像を画像データとして外部表示装置に送信するデータ送信部（１１０）と、を備え、
前記制御部（１００）は、パスワードの入力を要求するパスワード要求状態のとき、前記表示部に、パスワード入力画像を覆うように、ユーザにより操作可能な仮想入力デバイスを表示するよう前記表示部を制御する
ことを特徴とする情報処理装置（スマートデバイス１０）である。
【０００７】
上記構成の情報処理装置（スマートデバイス１０）によれば、パスワードの入力画像を、外部表示装置を見ている他人に見られないようにすることができる。また、仮想入力デバイス（ソフトウェアキーボード）のキー配置を変化させる必要がないため、操作性が低下することを避けることができる。さらに、単に仮想入力デバイス（ソフトウェアキーボード）のデザインを変更するだけで対応可能であるため、比較的容易な設計により実現することができる。
【０００８】
本発明の手段２は、
前記制御部（１００）は、前記パスワード要求状態のとき、前記仮想入力デバイスに対する操作に応答して該操作の内容を特定不能な態様で前記表示画像を変化させる
ことを特徴とする手段１の情報処理装置（スマートデバイス１０）である。
【０００９】
上記構成の情報処理装置（スマートデバイス１０）によれば、パスワードの入力がされたことをユーザが認識することができるため、さらにユーザの利便性を高めることができる。
【００１０】
本発明の手段３は、
前記制御部（１００）は、前記パスワード要求状態のとき、前記仮想入力デバイスに対する操作に応答して、前記表示画像を明るくする、振動部を振動させる、または音声出力部（１６０）から音声を出力する処理のいずれかを実行する
ことを特徴とする手段１の情報処理装置（スマートデバイス１０）である。
【００１１】
上記構成の情報処理装置（スマートデバイス１０）によれば、パスワードの入力がされたことを、表示部に表示された画像、振動、または音声でユーザが認識することができるため、さらにユーザの利便性を高めることができる。
【００１２】
本発明の手段４は、
音声を出力する音声出力部（１６０）をさらに備え、
前記データ送信部（１１０）はさらに、前記画像データに同期した音声を音声データとして前記外部表示装置（表示装置２０）に送信し、
前記制御部（１００）は、前記パスワード要求状態のとき、前記仮想入力デバイスに対する操作に応答して該操作に関連付けられた音声を前記音声出力部（１６０）から出力し、かつ前記外部表示装置（表示装置２０）に対する音声データの送信を停止する
ことを特徴とする手段１の情報処理装置（スマートデバイス１０）である。
【００１３】
上記構成の情報処理装置（スマートデバイス１０）によれば、ユーザが保持する情報処理装置（スマートデバイス１０）からのみ、パスワードの入力操作に関連付けられた音声を聞くことが可能となる。これにより、例えばイヤホンを使えば、ユーザのみがこの音声を視聴することができるため、利便性を高くしつつ機密性を向上させることができる。
【００１４】
本発明の手段５は、
２以上のチャネルで音声を出力する音声出力部（１６０）をさらに備え、
前記データ送信部はさらに、前記画像データに同期した音声を音声データとして外部表示装置（表示装置２０）に送信し、
前記制御部（１００）は、前記パスワード要求状態のとき、前記仮想入力デバイスに対する操作に応答して該操作に関連付けられた音声を前記チャネルの一部に含む音声を前記音声出力部（１６０）から出力する
ことを特徴とする手段１の情報処理装置（スマートデバイス１０）である。
【００１５】
上記構成の情報処理装置（スマートデバイス１０）によれば、例えば２チャネルの所謂ステレオの音声の一方からのみ、パスワードの入力操作に関連付けられた音声を出力することとなる。これにより、ユーザは一方のチャネルのみイヤホンで聞くことなどでこの音声を聞くことができるため、利便性を高くしつつ機密性を向上させることができる。
【図面の簡単な説明】
【００１６】
【図１】スマートデバイス及び表示装置を含む映像送受信システムの構成例を示す図。
【図２】スマートデバイス及び表示装置の具体的構成例を示す図。
【図３】パスワード等入力処理を示すフローチャート。
【図４】表示部に表示されたソフトウェアキーボードの一例を示す図。
【図５】表示部に表示されたソフトウェアキーボードの一例を示す図。
【発明を実施するための形態】
【００１７】
本発明に係る実施形態について、以下の構成に従って図面を参照しながら具体的に説明する。ただし、以下で説明する実施形態はあくまで本発明の一例にすぎず、本発明の技術的範囲を限定的に解釈させるものではない。なお、各図面において、同一の構成要素には同一の符号を付しており、その説明を省略する場合がある。
１．実施形態１
（１）映像送受信システムの構成例
（２）パスワード等入力処理の具体例
２．実施形態２
３．実施形態３
４．実施形態４
５．補足事項
６．本発明の特徴
【００１８】
＜１．実施形態１＞
まず、本発明の実施形態１について、図１乃至図５を参照しながら説明する。
【００１９】
＜（１）映像送受信システムの構成例＞
図１は、本実施形態のスマートデバイス１０及び表示装置２０を含む映像送受信システムの構成例を示す図である。図１に示すように、本実施形態の映像送受信システムは、スマートデバイス１０及び表示装置２０を含んで構成される。この映像送受信システムでは、インターネット３０から受信した映像コンテンツなどをスマートデバイス１０が表示部で表示し、この表示と同じ内容が表示装置２０に表示される。図２は、スマートデバイス１０及び表示装置２０のそれぞれの具体的な構成例を示す図である。
【００２０】
＜スマートデバイス１０＞
図２に示されるように、スマートデバイス１０は、制御部１００、データ送信部１１０、表示部１２０、タッチパネル１３０、メモリ１４０、無線通信部１５０、及び音声出力部１６０を含んで構成される。スマートデバイス１０は、例えばスマートフォンまたはタブレット機器などの情報処理装置である。
【００２１】
＜制御部１００＞
制御部１００は、スマートデバイス１０における種々の処理を実行可能に構成された制御手段であり、タッチパネル１３０で検出されたユーザによる操作、または無線通信部１５０で受信した信号などに基づいて、データ送信部１１０、表示部１２０、タッチパネル１３０、メモリ１４０、無線通信部１５０、及び音声出力部１６０の各構成を制御するよう構成される。制御部１００は、メモリ１４０に記憶されたソフトウェアを実行し、実行結果を表示部１２０に表示するよう制御する。
【００２２】
制御部１００は、表示部１２０に表示された画像（映像を含む）を、画像データとしてデータ送信部１１０から表示装置２０に対して送信するよう制御する。より具体的には、制御部１００は、表示部１２０に表示された画像（映像）を符号化し、符号化されたデータを上記の画像データとして送信する。制御部１００は、この画像データに同期する音声データを、同様に符号化して、データ送信部１１０から表示装置２０に対して送信することができる。
【００２３】
制御部１００は、実行中のソフトウェアで必要になったときにパスワード要求状態となり、表示部１２０にパスワード入力のためのパスワード入力画像を表示する。このとき、表示部１２０には、タッチパネル１３０で操作可能なソフトウェアキーボード（仮想キーボードとも呼ばれる）が表示される。ユーザは、ソフトウェアキーボードを操作してパスワードを入力することができる。本実施形態では、このパスワード等入力処理に特徴があるが、パスワード等入力処理の具体的な動作については後述する。
【００２４】
＜データ送信部１１０＞
データ送信部１１０は、無線ＬＡＮを利用した無線通信により、表示装置２０に対して映像データを送信するよう構成される。
【００２５】
＜表示部１２０＞
表示部１２０は、ＬＣＤ（液晶ディスプレイ）や有機ＥＬディスプレイなどであり、制御部１００の制御により、ユーザにより視認できるように画像を表示するよう構成される。
【００２６】
＜タッチパネル１３０＞
タッチパネル１３０は、ユーザの指の接触または近接を検出し、検出結果を制御部１００に出力するよう構成される。なお、ユーザの指に代えて、タッチペンなどの指示具が用いられてもよい。
【００２７】
＜メモリ１４０＞
メモリ１４０は、制御部１００の制御により、種々のデータを記憶し、記憶しているデータを制御部１００に出力するよう構成される。メモリ１４０は、例えば、スマートデバイス１０で実行されるソフトウェアなどを記憶する。
【００２８】
＜無線通信部１５０＞
無線通信部１５０は、無線ＬＡＮを利用した無線通信により、インターネットから各種情報（データを含む）を受信し、送信できるよう構成される。また、無線通信部１５０は、受信したデータを制御部１００に出力するよう構成される。例えば、無線通信部１５０は、インターネットから映像コンテンツの映像データを受信し、受信した映像データを制御部１００に出力するよう構成される。
【００２９】
＜音声出力部１６０＞
音声出力部１６０は、スピーカーを含んで構成され、制御部１００の制御により音声を出力するよう構成される。
【００３０】
＜表示装置２０＞
表示装置２０は、制御部２００、データ受信部２１０、及び表示部２２０を含んで構成される。表示装置２０は、例えばモニタまたはテレビなどの装置である。
【００３１】
＜制御部２００＞
制御部２００は、表示装置２０における種々の処理を実行可能に構成された制御手段であり、データ受信部２１０から入力された映像データ及び操作信号などに基づいて、表示部２２０を制御するよう構成される。
【００３２】
＜データ受信部２１０＞
データ受信部２１０は、無線ＬＡＮを利用した無線通信により、スマートデバイス１０から映像データを受信するよう構成される。データ受信部２１０は、受信した映像データを制御部２００に出力する。
【００３３】
＜表示部２２０＞
表示部２２０は、ＬＣＤ（液晶ディスプレイ）や有機ＥＬディスプレイなどであり、制御部２００の制御により、ユーザにより視認できるように画像を表示するよう構成される。
【００３４】
＜（２）パスワード等入力処理の具体例＞
次に、上記構成の映像送受信システムで実行されるパスワード等入力処理の具体例について説明する。まず、本実施形態の映像送受信システムでは、スマートデバイス１０の表示部１２０に表示される画像と同じ画像が、表示装置２０の表示部２２０に表示されるよう動作している。このとき、スマートデバイス１０の制御部１００は、表示部１２０に表示された画像を符号化し、符号化された画像データをデータ送信部１１０から表示装置２０に対して送信する。表示装置２０のデータ受信部２１０はこの画像データを受信し制御部２００に出力する。制御部２００は、この画像データを復号して表示部２２０に表示される。また、音声データについても同様に送受信されることで、スマートデバイス１０と同じ音声が表示装置２０から出力される。
【００３５】
＜Ｓ５００〜Ｓ５１０＞
スマートデバイス１０でソフトウェアが実行されているときにソフトウェアキーボードを表示する処理が必要になると、制御部１００はパスワード要求状態であるか否かを確認する（Ｓ５００〜Ｓ５１０）。
【００３６】
＜Ｓ５２０〜Ｓ５３０＞
スマートデバイス１０の状態がパスワード要求状態でなければ（Ｓ５１０でＮ）、制御部１００は、表示部１２０に通常サイズのソフトウェアキーボードを表示する（Ｓ５２０）。一方で、スマートデバイス１０の状態がパスワード要求状態であれば（Ｓ５１０でＹ）、制御部１００は、表示部１２０に上記の通常サイズよりも画面上に占める領域が大きい、画面サイズのソフトウェアキーボードを表示する（Ｓ５３０）。
【００３７】
図４は、通常サイズのソフトウェアキーボードが表示された表示部１２０の表示状態を示す図である。図５は、画面サイズのソフトウェアキーボードが表示された表示部１２０の表示状態を示す図である。図５から分かるように、画面サイズのソフトウェアキーボードは、略画面全体を大きさで表示部１２０に表示される。パスワード要求状態では、表示部１２０にパスワード入力画像が表示される。パスワード入力画像には、従来は、入力されたパスワードがそのまま表示されるか、または認識できない記号で表示される。本実施形態でも、表示部１２０には、入力されたパスワードはそのまま表示されるかまたは記号で表示されているが、そのパスワード入力画像を覆うようにソフトウェアキーボードが重ねられて表示されているため、ユーザが表示部１２０を見てもパスワード入力画像は見られない。
【００３８】
＜Ｓ５４０＞
そして、ユーザによるパスワード入力、または必要な情報の入力が完了したら、制御部１００は表示部１２０に表示されていたソフトウェアキーボードを消去して、パスワード等入力処理を終了する。
【００３９】
＜２．実施形態２＞
次に、本発明の実施形態２について説明する。本実施形態では、実施形態１と比較して、ユーザがソフトウェアキーボードを操作して文字などを入力したときの反応が追加されている。以下の説明では、この点を中心に説明し、実施形態１と同様の処理については説明を省略する。
【００４０】
パスワード等入力処理において、画面サイズのソフトウェアキーボードが表示されているとき（Ｓ５３０）、ユーザがタッチパネル１３０にタッチしてソフトウェアキーボードによる操作を行うと、制御部１００は、表示部１２０の画面全体を瞬間的に白くハイライトする。なお、ここでは必ずしも表示部１２０の画面全体を白くハイライトする必要はなく、表示部１２０を別の態様で変化させてもよい。
【００４１】
実施形態１のパスワード等入力処理では、ユーザがソフトウェアキーボードで文字などを入力したとしても、ユーザは入力が適切に検出されたか否かを認識することができない。一方で、本実施形態のパスワード等入力処理では、上記のような処理を行うことにより、ユーザは、スマートデバイス１０により入力が検出されたことを認識することができる。
【００４２】
また、ユーザのソフトウェアキーボードの操作に応答する動作としては、上記のように表示部１２０の表示画像を明るくする（白くハイライトする）ほか、振動部（図示せず）を振動させる、または音声出力部１６０から音声を出力してもよい。
【００４３】
＜３．実施形態３＞
次に、本発明の実施形態３について説明する。本実施形態では、実施形態１及び実施形態２と比較して、ユーザがソフトウェアキーボードを操作して文字などを入力したときの動作が変更されている。以下の説明では、この点を中心に説明し、実施形態１または実施形態２と同様の処理については説明を省略する。
【００４４】
パスワード等入力処理において、画面サイズのソフトウェアキーボードが表示されているとき（Ｓ５３０、図５参照）、ユーザがタッチパネル１３０にタッチしてソフトウェアキーボードによる操作を行うと、制御部１００は以下の処理を行う。すなわち、制御部１００は、スマートデバイス１０の音声出力部１６０からはユーザにより入力された文字などに対応する音声を出力し、表示装置２０に対する音声データの送信を停止する。この音声データは、データ送信部１１０から送信される映像データに同期した音声である。ユーザは、必要に応じてイヤホンを介してスマートデバイス１０の音声出力部１６０から出力される音声を聞く。これにより、利便性を向上させることができる。
【００４５】
＜４．実施形態４＞
次に、本発明の実施形態４について説明する。本実施形態では、実施形態１及び実施形態２と比較して、ユーザがソフトウェアキーボードを操作して文字などを入力したときの動作が変更されている。以下の説明では、この点を中心に説明し、実施形態１または実施形態２と同様の処理については説明を省略する。
【００４６】
パスワード等入力処理において、画面サイズのソフトウェアキーボードが表示されているとき（Ｓ５３０、図５参照）、ユーザがタッチパネル１３０にタッチしてソフトウェアキーボードによる操作を行うと、制御部１００は以下の処理を行う。データ送信部１１０からは、２チャネルのステレオ音声で、映像データに同期した音声データが送信されている。そして、制御部１００は、この２チャネルのステレオ音声の一方のチャネルにのみ、ユーザにより入力された文字などに対応する音声を出力し、他方のチャネルからは映像データに同期した音声データを送信するようデータ送信部１１０を制御する。これにより、ユーザは、イヤホンの一方から出力される音声を聞くことで、入力内容に対応する音声を聞くことができる。また、表示装置２０では、異なる音声が重畳されて出力されるので、スマートデバイス１０のユーザ以外には、入力内容に対応する音声は聞き取れない。
【００４７】
なお、音声のチャネル数は必ずしも２チャネルである必要はなく、３チャネル以上の音声であってもよい。この場合、複数のチャネルの一部の音声をユーザにより入力された文字などに対応する音声とし、それ以外のチャネルの音声を映像データに同期した音声データとすればよい。
【００４８】
＜５．補足事項＞
以上、本発明の実施形態についての具体的な説明を行った。上記説明は、あくまで一実施形態としての説明であって、本発明の範囲はこの一実施形態に留まらず、当業者が把握可能な範囲にまで広く解釈されるものである。
【００４９】
上記実施形態における映像送受信システムのスマートデバイス１０では、表示部１２０に画面サイズのソフトウェアキーボードを表示する例について説明したが、ソフトウェアキーボードは必ずしも画面サイズである必要はない。すなわち、ソフトウェアキーボードは、パスワード入力画像を覆う大きさよりも大きければ目的を達成することができる。
【００５０】
また、上記実施形態のパスワード等入力処理では、仮想入力デバイスとしてソフトウェアキーボードを表示する例について説明したが、必ずしもキーボードである必要はなく、テンキーなどの仮想入力デバイスであってもよい。
【００５１】
また、上記実施形態では、スマートデバイス１０と表示装置２０とは、無線ＬＡＮを介してデータの送受信を行っていたが、別の通信方法によりデータの送受信を行ってもよい。
【００５２】
また、スマートデバイス１０と表示装置２０とは、必ずしも無線で接続されている必要はなく有線で接続されていてもよい。
【００５３】
＜６．本発明の特徴＞
以上、説明したような構成の映像送受信システムに含まれる特徴的な装置及び方法は、以下のようなものである。
【００５４】
本発明の情報処理装置（スマートデバイス１０）は、画像を表示する表示部１２０と、表示部１２０に表示される表示画像を制御する制御部１００と、表示画像を画像データとして外部表示装置（表示装置２０）に送信するデータ送信部１１０と、を備え、制御部１００は、パスワードの入力を要求するパスワード要求状態のとき、表示部１２０に、パスワード入力画像を覆うように、ユーザにより操作可能な仮想入力デバイス（ソフトウェアキーボード）を表示するよう表示部を制御することを特徴とする。
【００５５】
上記構成の情報処理装置（スマートデバイス１０）によれば、パスワードの入力画像を、外部表示装置を見ている他人に見られないようにすることができる。また、仮想入力デバイス（ソフトウェアキーボード）のキー配置を変化させる必要がないため、ユーザによる操作性が低下することを避けることができる。さらに、単に仮想入力デバイス（ソフトウェアキーボード）のデザインを変更するだけで対応可能であるため、比較的容易な設計により実現することができる。
【００５６】
また、本発明の情報処理装置（スマートデバイス１０）では、制御部（１００）は、パスワード要求状態のとき、仮想入力デバイスに対する操作に応答して該操作の内容を特定不能な態様で表示画像を変化させることを特徴とする。
【００５７】
上記構成の情報処理装置（スマートデバイス１０）によれば、パスワードの入力がされたことをユーザが認識することができるため、さらにユーザの利便性を高めることができる。
【００５８】
また、本発明の情報処理装置（スマートデバイス１０）では、制御部１００は、パスワード要求状態のとき、仮想入力デバイス（ソフトウェアキーボード）に対する操作に応答して、表示画像を明るくする、振動部を振動させる、または音声出力部１６０から音声を出力する処理のいずれかを実行することを特徴とする。
【００５９】
上記構成の情報処理装置（スマートデバイス１０）によれば、パスワードの入力がされたことを、表示部に表示された画像、振動、または音声でユーザが認識することができるため、さらにユーザの利便性を高めることができる。
【００６０】
また、本発明の情報処理装置（スマートデバイス１０）では、音声を出力する音声出力部１６０をさらに備え、データ送信部１１０はさらに、画像データに同期した音声を音声データとして外部表示装置（表示装置２０）に送信し、制御部（１００）は、パスワード要求状態のとき、仮想入力デバイスに対する操作に応答して該操作に関連付けられた音声を音声出力部１６０から出力し、かつ外部表示装置（表示装置２０）に対する音声データの送信を停止することを特徴とする。
【００６１】
上記構成の情報処理装置（スマートデバイス１０）によれば、ユーザが保持する情報処理装置（スマートデバイス１０）からのみ、パスワードの入力操作に関連付けられた音声を聞くことが可能となる。これにより、例えばイヤホンを使えば、ユーザのみがこの音声を視聴することができるため、利便性を高くしつつ機密性を向上させることができる。
【００６２】
また、本発明の情報処理装置（スマートデバイス１０）では、２以上のチャネルで音声を出力する音声出力部（１６０）をさらに備え、データ送信部はさらに、画像データに同期した音声を音声データとして外部表示装置（表示装置２０）に送信し、制御部１００は、パスワード要求状態のとき、仮想入力デバイスに対する操作に応答して該操作に関連付けられた音声をチャネルの一部に含む音声を前記音声出力部１６０から出力することを特徴とする。
【００６３】
上記構成の情報処理装置（スマートデバイス１０）によれば、例えば２チャネルの所謂ステレオの音声の一方からのみ、パスワードの入力操作に関連付けられた音声を出力することとなる。これにより、ユーザは一方のチャネルのみイヤホンで聞くなどによりこの音声を聞くことができるため、利便性を高くしつつ機密性を向上させることができる。
【産業上の利用可能性】
【００６４】
本発明は、表示部に表示された画像を外部表示装置で表示させることができる情報処理装置などとして好適に適用される。
【符号の説明】
【００６５】
１０…スマートデバイス
２０…表示装置
３０…インターネット
１００…制御部
１１０…データ送信部
１２０…表示部
１３０…タッチパネル
１４０…メモリ
１５０…無線通信部
１６０…音声出力部
２００…制御部
２１０…データ受信部
２２０…表示部
【図１】
0006314715.tif 000002
【図２】
0006314715.tif 000003
【図３】
0006314715.tif 000004
【図４】
0006314715.tif 000005
【図５】
0006314715.tif 000006